(57)【要約】      （修正有）【課題】手荷物などに連結される紐材を肩に掛けて持ち歩くときに，紐材が肩から簡単に外れて何度も掛けなおしたり，落ちないように手で押さえたりなど，大変煩わしい。かかる問題を解決するために，簡単にセットされ，紐材が外れ難い小型な肩掛け保持具を提供する。【解決手段】着衣５との摩擦性に優れた素材で磁石３を被覆するとともに，肩の前後方向の湾曲形状に対して装着し易くするために，湾曲状に形成される内装部材１と外装部材２で構成され，内装部材，着衣，外装部材の順に肩部に重ねて装着することにより，内装部材と外装部材は磁力により吸引保持されるため，紐材６を外装部材に取り付けられているストッパー４に挟んで肩に掛けることにより，セットが簡単で，紐材が肩から外れることが防止される小型な肩掛け保持具。【選択図】図１
0003133752.tif 000002
【実用新案登録請求の範囲】
【請求項１】
手荷物などに連結される紐材を肩に掛けて保持する肩掛け具に関し，磁石を内装して合成ゴムや合成樹脂などの摩擦性に富んだ素材で被覆し，肩の前後方向の湾曲形状に対して装着し易い湾曲状に形成された内装部材と外装部材で構成され，外装部材には合成樹脂または金属などからなる板バネなどで紐材を保持するストッパーが取り付けられている。着衣の肩部下面に内装部材を，着衣の肩部上面に外装部材を，着衣を挟んで装着した状態で内装部材と外装部材は相互に吸引し合う磁極面に設定されているため，磁力で吸引保持される。この状態で，ストッパーに紐材を挟んで肩に掛けることにより，紐材が肩から滑り落ちることを防止する，セットが簡単で小型な肩掛け保持具。
【請求項２】
上記内装部材と外装部材の何れか一方に磁石を，他方に強磁性体を内装する請求項１に記載の肩掛け保持具。
【考案の詳細な説明】
【技術分野】
【０００１】手荷物などに連結される紐材を肩に掛けて保持する肩掛け部材に関し，磁石が内装された内装部材と外装部材で構成され，内装部材，着衣，外装部材の順に肩部に重ねて装着することにより，内装部材と外装部材は磁力により吸引保持されて固定されるため，外装部材に設けられるストッパーに紐材を挟み込んで肩に掛けることにより，紐材が肩から滑り落ちることを防ぐ，セットが簡単で小型な肩掛け保持具。
【背景技術】
【０００２】手荷物などに連結される紐材を一方の肩に掛けて持ち歩く場合に，紐材が肩から簡単に外れて何度も掛けなおしたり，落ちないように手で押さえたり，身体に対して紐材を斜めに掛けたりなどの工夫をするものの，常に気になり大変煩わしい。このような欠点を解決するために，紐材の肩に当たる部分に滑り止め加工を施す方法や，手荷物を脇で挟み込んで保持する構造など種々の改善が提案されているが，何れの方法も，特に，肩を傾斜させた場合や，肩を回した時などに紐材が簡単に滑り落ちてしまう欠点を有しており，肩からの滑り落ちを防ぐ手段としては不十分である。
【考案が解決しようとする課題】
【０００３】手荷物などに連結される紐材を肩に掛けて持ち歩く場合に，肩を傾斜させた場合や，肩を回した時などに紐材が簡単に滑り落ちてしまう欠点を解決して，容易に滑り落ちることが無く，セットが簡単で小型な肩掛け保持具を提案する。
【課題を解決するための手段】
【０００４】矩形の磁石を摩擦性に優れた合成ゴムや合成樹脂などの素材で被覆するとともに，肩の前後方向の湾曲形状に装着し易い湾曲状に形成された内装部材，ならびに外装部材で構成し，内装部材，着衣，外装部材の順に肩部に重ねて装着することにより，内装部材と外装部材は磁力により吸引保持されて固定されるため，外装部材に設けられるストッパーに紐材を挟み込んで肩に掛けることにより，紐材が肩から滑り落ちることを防ぐ，セットが簡単で小型な肩掛け保持具。
【考案の効果】
【０００５】本提案の肩掛け保持具は磁力を利用して着衣に装着する構造であるため，取り付け，取り外しが極めて簡単であるとともに，着衣を内外両面から挟み込むことにより保持具の着衣への装着は強力で確実である。また磁石は合成ゴムまたは合成樹脂で被覆されているため，着衣との摩擦性に優れるとともに，着衣や肌に傷を付けることも無く，さらに肩の前後方向の湾曲形状に装着し易い湾曲状に構成されているため，肩や着衣への接触性は極めて良く，ずれたり，外れたりし難い。紐材はストッパーに挟み込んで肩に掛けられるため，紐材が外れることが無いなど，極めてセットが簡単で小型な肩掛け保持具が実現される。
【考案を実施するための最良の形態】
【０００６】図１に本考案による肩掛け保持具を着衣の肩部に装着した概観斜視図を示す。保持具は，内装部材１と外装部材２で構成され，いずれも，肩への適合性，着衣への接触性を高めるため肩の前後方向の湾曲形状に装着し易い湾曲状になっており，さらに，適度な摩擦力を有し，身体や着衣に傷を付けないためシリコンゴムで被覆されている。着衣５を挟んで肩部着衣の下面に内装部材１を，肩部着衣の上面に外装部材２を重ねて装着することにより，内装部材１と外装部材２は着衣５の両面から磁力により吸引保持して固定される。外装部材２には紐材を挟み込んで保持する板バネ状のストッパー４が構成されているため，ストッパー４に紐材６を挟み込んで肩に掛けることにより，紐材は肩を傾斜させた場合や，回した時などにおいても，滑り落ちることは無い。内装部材，外装部材の両方に磁石３を使用する場合は，両方を着衣を挟んで装着した場合に向き合う面が吸引し合う磁極の組み合わせにする。（Ｎ極とＳ極，またはＳ極とＮ極を対向させる）ただし一方に強磁性体を使用する場合は他方の磁石の極は任意で良い。【０００７】図２に内装部材の概観斜視図を示す。内装部材１は矩形の磁石３をシリコンゴムで被覆し，肩の前後方向の湾曲形状に沿わせるために湾曲している。図３に外装部材の概観斜視図を示す。外装部材２は磁石３をシリコンゴムで被覆し，肩ならびに内装部材の湾曲形状に適応させるために湾曲している。紐材が肩から滑り落ちることを防止するストッパー４は，外装部材の上面に構成され，紐材を挟み込むことにより紐材の滑り落ちが防がれる。ストッパーは合成樹脂により板バネ状に形成されている。【０００８】一般的に肩は外側方向７に向かって下り傾斜の傾向があり，紐材を肩に掛けた場合に外れやすい原因ともなっている。図４は内装部材を腕の付け根方向７に向かって上り傾斜を付けて，紐材の外れをさらに防ぐ構成を示している。かかる構成は外装部材で対応しても良く，内装，外装の両方で対応しても良い。また，着衣との摩擦を強くするために，内装部材，外装部材ともに表面に多数の小さな突起構造や線条構造を設けることも有効である。以上のように，簡単にセットされ，紐材が滑り難く，外れ難い小型な肩掛け保持具が実現される。
【実施例】
【０００９】内装部材，外装部材は（肩幅方向の幅）×（肩厚方向の幅）×（厚さ）を６×４×０．８ｃｍとし，ストッパーは（幅）×（厚み）×（板厚）を４×０．５×０．２ｃｍとして合成樹脂で板バネ状に形成して磁石に固定する構造としたが，金属板でも良いとともに，外装部材の上面を合成樹脂で構成して板バネを一体で成型しても良い。ストッパーを板バネ状で挟み込む構造とする理由は，紐材の幅に対する自由度を高める意味が有る。紐材をより強固に保持するためには，ホックなどによるロック構造を採用することも出来る。使用する磁石や強磁性体は矩形としたが，磁石や強磁性体自体を肩の前後方向の湾曲形状に対して装着し易くするために湾曲状に形成しても良い。ディメンジョンは使用する素材，磁性材の磁力，ならびに紐材の厚さや幅などで最適化するとともに，素材に関しても，着衣に接触する面は一般的な合成ゴムや合成樹脂など摩擦性に優れる材質を選ぶ。紐材は，帯状の紐，丸紐，鎖などでも良く，材質は問わない。吸引材としては内装部材，外装部材ともに磁石または，一方が磁石で他方が強磁性体でも良い。内装部材，外装部材は装着時や装着状態で脱落することも有り得るため，適切な長さの鎖や紐などの連結材で連結することも有効であり，連結した状態では，内装部材と外装部材は，連結材を襟を介して装着すれば良いなど，本考案の請求範囲を逸脱しない範囲であれば種々変形実施が可能である。
【図面の簡単な説明】
【００１０】
【図１】本考案による肩掛け保持具を着衣の肩部に装着した概念図を示す。
【図２】内装部材の概観斜視図を示す。
【図３】外装部材の概観斜視図を示す。
【図４】肩の傾斜を補正する内装部材の概観斜視図を示す。
【符号の説明】
１  内装部材
２  外装部材
３  磁石
４  ストッパー
５  着衣
６  紐材
７  肩の外側方向を示す矢印
【図１】
0003133752.tif 000003
【図２】
0003133752.tif 000004
【図３】
0003133752.tif 000005
【図４】
0003133752.tif 000006
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
手荷物などに連結される紐材を肩に掛けて保持する肩掛け具に関し，磁石を内装して合成ゴムや合成樹脂などの摩擦性に富んだ素材で被覆し，肩の前後方向の湾曲形状に対して装着し易い湾曲状に形成された内装部材と外装部材で構成され，外装部材には合成樹脂または金属などからなる板バネなどで紐材を保持するストッパーを備えるとともに，着衣を挟んで下面に内装部材を，上面に外装部材を装着した状態では，内装部材と外装部材は相互に吸引しあう磁極面に設定されているため磁力で吸引保持され，ストッパーに紐材を装着して肩に掛けることにより紐材が肩から滑り落ちることなく保持される，セットが簡単で小型な肩掛け保持具。
【請求項２】
上記内装部材と外装部材の何れか一方に磁石を，他方に強磁性体を内装する請求項１に記載の肩掛け保持具。